(57)【特許請求の範囲】
【請求項１】
撮影光路中にあってファインダーに被写体像を導くダウン姿勢と、撮影光路から退避して撮像素子に被写体像を導くアップ姿勢との２姿勢の間で駆動されるミラーと、
前記撮像素子を遮光する閉状態と前記撮像素子に被写体像を導く開状態との間で開閉動作を行う一組のシャッタ羽根と、
前記ミラーを駆動するための駆動力を出力する駆動源と、
前記駆動源の駆動力を前記ミラーに伝達するミラー駆動機構と、
前記ミラー駆動機構によるミラーダウンの駆動力により前記シャッタ羽根を閉動作させるシャッタ駆動機構とを備えることを特徴とする電子カメラ。
【請求項２】
請求項１のシャッタ羽根とシャッタ駆動機構とを備えるシャッタ装置であって、
前記シャッタ駆動機構は、前記ミラー駆動機構からの駆動力を前記シャッタ羽根に伝達して前記シャッタ羽根を閉動作させる部材を備えることを特徴とするシャッタ装置。
【請求項３】
請求項１のミラーとミラー駆動機構とを備えるミラー駆動装置であって、
前記ミラー駆動機構は、ミラーダウンの駆動力を前記シャッタ駆動機構に伝達する部材を備えることを特徴とするミラー駆動装置。
【請求項４】
請求項１に記載の電子カメラにおいて、
前記シャッタ羽根の開動作は、前記ダウン姿勢から前記アップ姿勢に駆動される前記ミラーが前記アップ姿勢に達する直前から開始し、前記ミラー部材が前記アップ姿勢に達したときには完了していることを特徴とする電子カメラ。
【請求項５】
請求項１または請求項４に記載の電子カメラにおいて、
前記シャッタ駆動機構は、前記ミラー駆動機構によるミラーダウンの駆動力により、前記ミラーのアップ動作に追従して前記シャッタ羽根を開動作させるための駆動力をチャージすることを特徴とする電子カメラ。
【請求項６】
撮影光路中にあってファインダーに被写体像を導くダウン姿勢と、撮影光路から退避して撮像素子に被写体像を導くアップ姿勢との２姿勢の間で駆動されるミラーと、
前記撮像素子を遮光する閉状態と前記撮像素子に被写体像を導く開状態との間で開閉動作を行う一組のシャッタ羽根と、
前記ミラーを駆動するための駆動力を出力する駆動源と、
前記駆動源の駆動力を前記ミラーに伝達するミラー駆動機構と、
前記ミラー駆動機構によるミラーアップの駆動力により前記シャッタ羽根を開動作させるととともに、前記ミラー駆動機構によるミラーダウンの駆動力により前記シャッタ羽根を閉動作させるシャッタ駆動機構とを備えることを特徴とする電子カメラ。
【請求項７】
請求項６のシャッタ羽根とシャッタ駆動機構とを備えるシャッタ装置であって、
前記シャッタ駆動機構は、前記ミラー駆動機構からの駆動力を前記シャッタ羽根に伝達して前記シャッタ羽根を開閉動作させる部材を備えることを特徴とするシャッタ装置。
【請求項８】
請求項６のミラーとミラー駆動機構とを備えるミラー駆動装置であって、
前記ミラー駆動機構は、ミラーアップおよびミラーダウンの駆動力を前記シャッタ駆動機構に伝達する部材を備えることを特徴とするミラー駆動装置。
【請求項９】
請求項６に記載の電子カメラにおいて、
前記シャッタ羽根の開動作は、前記ダウン姿勢から前記アップ姿勢に駆動される前記ミラーが前記アップ姿勢に達する直前から開始し、前記ミラー部材が前記アップ姿勢に達したときには完了していることを特徴とする電子カメラ。
【請求項１０】
請求項６のミラーとミラー駆動機構とを備えるミラー駆動装置であって、
前記ミラー駆動機構は、前記ダウン姿勢から前記アップ姿勢に駆動される前記ミラーが前記アップ姿勢に達する直前からミラーアップの駆動力を前記シャッタ駆動機構に伝達することを特徴とするミラー駆動装置。
【請求項１１】
請求項２または請求項７に記載のシャッタ装置において、
前記シャッタ駆動機構は、前記ミラー駆動機構からの駆動力を前記シャッタ羽根に伝達する際に、入力された駆動量を拡大して前記シャッタ羽根を動作させる拡大機構をさらに備えることを特徴とするシャッタ装置。
【発明の詳細な説明】
【技術分野】
【０００１】
本発明は、固体撮像素子に被写体像を結像させて画像信号を得る電子カメラ、特に固体撮像素子としてＣＣＤ等の電荷蓄積素子を用い、電荷蓄積後に撮像素子への光を遮光するようにした電子カメラのミラー駆動機構およびシャッタ機構の技術に関する。
【背景技術】
【０００２】
固体撮像素子としてＣＣＤを有し、ＣＣＤで蓄積された画像情報としての電荷を読出して記録媒体に記録する電子カメラが知られている。ＣＣＤのうち特にフレームトランスファー型ＣＣＤやインターラインの２フィールド読出し型のＣＣＤを用いた電子カメラでは、電荷の読出しは光を遮断した状態で行う必要がある。また、その他のＣＣＤでもスミア（ＣＣＤ画素からあふれた電荷が転送部に流れ込み、画面の上下方向に光が筋を引くように現れる現象）を積極的に防止して高画質化を追求するには、同様にＣＣＤへの光を遮断して読出しを行う必要がある。そのため、電子カメラに一組のシャッタ羽根を開閉動作するシャッタ機構を設けて、電荷蓄積開始までは撮像素子を遮光し、電荷蓄積中は撮影開口を開放し、電荷蓄積終了後は再び撮像素子を遮光している（特許文献１参照）。
【０００３】
【特許文献１】特開平１１−１２２５４２号公報
【発明の開示】
【発明が解決しようとする課題】
【０００４】
この電子カメラにおいて、従来から知られているフォーカルプレーンシャッタ装置を流用する場合、シャッタ羽根を駆動するための複数のレバー類やバネを有している。撮影開始前には、これらのレバー類はバネの付勢力に抗して初期位置で係止されている。撮影が開始されると、係止が順次解除されてシャッタが開かれる。電荷蓄積終了後にはレバー類が初期位置に復帰されて、シャッタが閉じられる。このため、従来の電子カメラでは、複数のレバー類やバネ、これらを駆動する駆動カム等の部品が必要となるので、部品点数が多くなり、コスト面やスペースの面で不利である。
【課題を解決するための手段】
【０００５】
（１）  請求項１の発明による電子カメラは、撮影光路中にあってファインダーに被写体像を導くダウン姿勢と、撮影光路から退避して撮像素子に被写体像を導くアップ姿勢との２姿勢の間で駆動されるミラーと、撮像素子を遮光する閉状態と撮像素子に被写体像を導く開状態との間で開閉動作を行う一組のシャッタ羽根と、ミラーを駆動するための駆動力を出力する駆動源と、駆動源の駆動力をミラーに伝達するミラー駆動機構と、ミラー駆動機構によるミラーダウンの駆動力によりシャッタ羽根を閉動作させるシャッタ駆動機構とを備えることを特徴とする。
（２）  請求項２の発明によるシャッタ装置は、請求項１のシャッタ羽根とシャッタ駆動機構とを備えるシャッタ装置であって、シャッタ駆動機構は、ミラー駆動機構からの駆動力をシャッタ羽根に伝達してシャッタ羽根を閉動作させる部材を備えることを特徴とする。
（３）  請求項３の発明によるミラー駆動装置は、請求項１のミラーとミラー駆動機構とを備えるミラー駆動装置であって、ミラー駆動機構は、ミラーダウンの駆動力をシャッタ駆動機構に伝達する部材を備えることを特徴とする。
（４）  請求項４の発明は、請求項６に記載の電子カメラにおいて、シャッタ羽根の開動作は、ダウン姿勢からアップ姿勢に駆動されるミラーがアップ姿勢に達する直前から開始し、ミラー部材がアップ姿勢に達したときには完了していることを特徴とする。
（５）  請求項５の発明は、請求項１または請求項４に記載の電子カメラにおいて、シャッタ駆動機構は、ミラー駆動機構によるミラーダウンの駆動力により、ミラーのアップ動作に追従してシャッタ羽根を開動作させるための駆動力をチャージすることを特徴とする。
（６）  請求項６の発明による電子カメラは、撮影光路中にあってファインダーに被写体像を導くダウン姿勢と、撮影光路から退避して撮像素子に被写体像を導くアップ姿勢との２姿勢の間で駆動されるミラーと、撮像素子を遮光する閉状態と撮像素子に被写体像を導く開状態との間で開閉動作を行う一組のシャッタ羽根と、ミラーを駆動するための駆動力を出力する駆動源と、駆動源の駆動力をミラーに伝達するミラー駆動機構と、ミラー駆動機構によるミラーアップの駆動力によりシャッタ羽根を開動作させるととともに、ミラー駆動機構によるミラーダウンの駆動力によりシャッタ羽根を閉動作させるシャッタ駆動機構とを備えることを特徴とする。
（７）  請求項７の発明によるシャッタ装置は、請求項６のシャッタ羽根とシャッタ駆動機構とを備えるシャッタ装置であって、シャッタ駆動機構は、ミラー駆動機構からの駆動力をシャッタ羽根に伝達してシャッタ羽根を開閉動作させる部材を備えることを特徴とする。
（８）  請求項８の発明によるミラー駆動装置は、請求項６のミラーとミラー駆動機構とを備えるミラー駆動装置であって、ミラー駆動機構は、ミラーアップおよびミラーダウンの駆動力をシャッタ駆動機構に伝達する部材を備えることを特徴とする。
（９）  請求項９の発明は、請求項６に記載の電子カメラにおいて、シャッタ羽根の開動作は、ダウン姿勢からアップ姿勢に駆動されるミラーがアップ姿勢に達する直前から開始し、ミラー部材がアップ姿勢に達したときには完了していることを特徴とする。
（１０）  請求項１０の発明は、請求項６のミラーとミラー駆動機構とを備えるミラー駆動装置であって、ミラー駆動機構は、ダウン姿勢からアップ姿勢に駆動されるミラーがアップ姿勢に達する直前からミラーアップの駆動力をシャッタ駆動機構に伝達することを特徴とする。
（１１）  請求項１１の発明は、請求項２または請求項７に記載のシャッタ装置において、シャッタ駆動機構は、ミラー駆動機構からの駆動力をシャッタ羽根に伝達する際に、入力された駆動量を拡大してシャッタ羽根を動作させる拡大機構をさらに備えることを特徴とする。
【発明の効果】
【０００６】
本発明によれば、シャッタ駆動のためのアクチュエータや複雑な駆動機構を用いることなくシャッタ羽根を駆動できるので、シャッタ羽根の駆動に要する部品を大幅に削減でき、コストおよび小型化の際のスペースの面で優れた電子カメラ、シャッタ機構、およびミラー駆動機構を実現できる。
【発明を実施するための最良の形態】
【０００７】
−−−全体構成−−−
図１〜９を参照して、本発明による電子カメラの一実施の形態を説明する。図１は、本実施の形態による電子カメラである一眼レフタイプのカメラボディ１とカメラボディ１に装着する撮影レンズ２を示した斜視図である。カメラボディ１にはレリーズボタン４と、撮像素子であるＣＣＤ５と、カメラボディ１の各部を制御する制御回路１０１とが設けられている。３０１は、撮影レンズ２からの被写体像をＣＣＤ５に導くための撮影光路である。本実施の形態の電子カメラでは、制御回路１０１からの制御信号によってＣＣＤ５の電荷の蓄積時間を制御する、いわゆる電子シャッタと呼ばれるもので露出時間を制御する。カメラボディ１に撮影レンズ２を装着すると、レンズ側絞りレバー３とカメラ側の絞りレバー３２３の当接部３２３ａとが当接する。レンズ側絞りレバー３は、カメラ側の絞りレバー３２３により駆動されて所定の絞り値に制御される。なお、本実施の形態では、撮影レンズ２が取り付けられるカメラボディ１の前方を正面と呼び、ＣＣＤ５が設けられるカメラボディ１の後方を背面と呼ぶ。
【０００８】
−−−ミラーボックス３００−−−
図２および図３は、カメラボディ１に組み込まれるミラーボックスと、絞り機構と、シャッタ機構とを示す斜視図である。また、図４（ａ），（ｂ）はミラーボックスおよびシャッタ機構を側面から見た図であり、図４（ａ）は、撮影開始前の状態を示す図であり、図４（ｂ）は、レリーズ後の状態を示す図である。ミラーボックス３００の内部にはメインミラー３２１が設けられている（図２，３）。ミラーボックス３００の側面には軸３２６が設けられ、絞り連動レバー３２３と、ミラーアップレバー３２４と、絞り駆動レバー３２５とが、その軸３２６に回動可能に取り付けられている。さらにミラーボックス３００には、後述する絞り制御機構２００とシャッタ機構４００とが取り付けられる。
【０００９】
メインミラー３２１は、撮影光路中３０１にあって不図示のファインダーに被写体像を導くダウン姿勢と、撮影光路３０１から退避してＣＣＤ５に被写体像を導くアップ姿勢との２姿勢の間で駆動される。メインミラー３２１は、ミラー支軸３２１ａを介してミラーボックス３００に回動可能に支持され、ミラーダウンバネ３２２により、図示時計方向の付勢力を受け、ダウン姿勢である略４５度の傾斜位置（ミラーダウン位置）に不図示のミラー受けで保持される。メインミラー３２１と一体に設けられたミラー駆動ピン３２１ｂは、後述するミラーアップレバー３２４で駆動されることにより、メインミラー３２１をミラーダウン位置からアップ姿勢（ミラーアップ位置）まで反時計方向に跳ね上げる。ミラーダウンバネ３２２は、一端がミラーアップレバー３２４に係止され、他端がメインミラー３２１のミラー駆動ピン３２１ｂに係止されて、上述のように、メインミラー３２１に図示時計方向の付勢力を与える。
【００１０】
絞り連動レバー３２３は、カメラボディに取り付けられた撮影レンズ２の絞りレバー３を当接部３２３ａで駆動して、撮影レンズ２の絞りを所定の絞り値に制御するレバーであり、バネ３２７によって図示時計方向に付勢されている。絞り連動レバー３２３の図示時計方向への旋回（右旋）は、レバー当接部３２３ｂが絞り連動レバー３２５のレバー当接部３２５ａに当接すること、もしくはレバー当接部３２３ｃが、絞り機構２００に係る部品（不図示）に当接することで規制される。
【００１１】
絞り駆動レバー３２５は、絞り連動レバー３２３を駆動するレバーであり、絞り連動レバー３２３とバネ３２７で結合されるとともに、ミラーボックス３００とバネ３２８で結合されている。後述するシーケンス駆動レバー２１８の先端部２１８ｂが図４（ａ）において左方向に駆動されると、絞り駆動レバー３２５は、シーケンス駆動レバー２１８の先端部２１８ｂによって図示時計方向に旋回されて、バネ３２７を介して絞り連動レバー３２３を絞り込み方向（図示時計方向）に駆動する。また、シーケンス駆動レバー２１８の先端部２１８ｂが図４（ｂ）において右方向に駆動されると、絞り駆動レバー３２５は、レバー当接部３２５ａに当接した絞り連動レバー３２３とともにバネ３２８によって絞り開放方向（図示反時計方向）に復帰される。
【００１２】
ミラーアップレバー３２４は、メインミラー３２１をミラーアップおよびミラーダウンさせるとともに、後述するシャッタ機構４００に設けられた開閉レバー４２０を駆動するレバーであり、ミラー駆動端３２４ａとシャッタ駆動端３２４ｂとを有する。ミラーアップレバー３２４は、ミラーアップバネ３３１によって図示時計方向に付勢されるとともに、後述するシーケンス駆動レバー２１８の先端部２１８ｂによって図示時計方向への回動位置が規制されている。シーケンス駆動レバー２１８の先端部２１８ｂが図４（ａ）において左方向に駆動されると、ミラーアップレバー３２４は、ミラーアップバネ３３１によって図示時計方向に旋回して、ミラー駆動端３２４ａでミラー駆動ピン３２１ｂを駆動して、メインミラー３２１をミラーダウン位置から反時計方向に跳ね上げるとともに、シャッタ駆動端３２４ｂでシャッタ機構４００に設けられた開閉レバー４２０のシャッタ駆動ボス４２１を駆動して、シャッタ羽根を開く。シーケンス駆動レバー２１８の先端部２１８ｂが図４（ｂ）において右方向に駆動されると、ミラーアップレバー３２４は、ミラーアップバネ３３１の付勢力に抗して、シーケンス駆動レバー２１８の先端部２１８ｂによって図示反時計方向に旋回される。
【００１３】
−−−絞り制御機構２００−−−
図５は、絞り機構２００を示す斜視図である。絞り機構２００は、各部品が配設された制御基板２３０と駆動基板２９０とから構成される。制御基板２３０には、絞り値を制御するための各部品が配設されている。駆動基板２９０には、上述の制御基板２３０と、絞り機構に係る各部品と、リセットレバー２０８と、シーケンス駆動レバー２１８と、カム２２０と、蓋基板２５０とが配設されている。
【００１４】
リセットレバー２０８は、駆動基板２９０に設けられた軸に回動可能に軸支されたレバーであり、後述するシーケンス駆動レバー２１８によって駆動されて、絞り制御機構２００をリセットするが、詳細な説明は省略する。
【００１５】
シーケンス駆動レバー２１８は、駆動基板２９０の下端側に設けられた軸２９５に対して回動可能に軸支される。図６（ａ），（ｂ）は、撮影開始前のシーケンス駆動レバー２１８とカム２２０の回転位相との関係を示す図である。また、図７（ａ），（ｂ）は、レリーズ後のシーケンス駆動レバー２１８とカム２２０の回転位相との関係を示す図である。図６（ａ）および図７（ａ）は、シーケンス駆動レバー２１８をカメラボディ１の下方から見た図（図５の矢印Ａ方向から見た図）であり、図６（ｂ）および図７（ｂ）は、シーケンス駆動レバー２１８をカメラボディ１の上方から見た図（図５の矢印Ｂ方向から見た図）である。
【００１６】
シーケンス駆動レバー２１８には２つのローラ２１９ａ，２１９ｂが設けられている。カム２２０の回転に応じてローラ２１９ａ，２１９ｂが押圧されると、シーケンス駆動レバー２１８は軸２９５を中心に揺動する。シーケンス駆動レバー２１８には、駆動基板２９０の上方に向かって直立するように設けられた腕２１８ｄ（図５参照）が設けられている。したがって、カム２２０の動きは、シーケンス駆動レバー２１８の動きとして、腕２１８ｄの先端部２１８ｂからミラーアップレバー３２４および絞り駆動レバー３２５に伝達される。また、シーケンス駆動レバー２１８には、突起２１８ｃが設けられている。この突起２１８ｃは、上述したリセットレバー２０８の突起部２０８ｄと係合して、リセットレバー２０８を回動させることで、絞り制御機構２００をリセットする。
【００１７】
カム２２０は、駆動基板２９０の軸２９４に回動可能に軸支され、蓋基板２５０により抜け止めがなされている。カム２２０には、不図示のギヤと噛合するギヤ部２２１と、カム面２２２を形成するカム部２２３とが一体に形成されている（図５参照）。駆動モータ１２２の回転は不図示のギヤを介してカム２２０に伝達される（図２，３参照）。なお、駆動モータ１２２は、制御回路１０１によって制御される。
【００１８】
−−−シャッタ機構４００−−−
図８（ａ），（ｂ）および図９（ａ），（ｂ）は、シャッタ機構４００を示す図である。シャッタ機構４００は、ＣＣＤ５を遮光する閉状態（図８（ａ），（ｂ））と、ＣＣＤ５に被写体像を導く開状態（図９（ａ），（ｂ））との間で開閉動作を行う一組のシャッタ羽根を有する機構である。図８（ａ）および図９（ａ）は、シャッタ機構４００を正面から見た正面図であり、図８（ｂ）および図９（ｂ）は、後述するシャッタカバー板４９０を外したシャッタ機構４００の内部を背面から見た図である。シャッタ機構４００は、ミラーボックス３００の背面に取り付けられる。
【００１９】
シャッタ機構４００は、台板４１０と、開閉レバー４２０と、羽根駆動レバー４３０と、羽根主アーム４４０と、羽根従動アーム４５０と、シャッタ羽根４６０と、シャッタカバー板４９０とを備えている。台板４１０は、シャッタ機構４００を構成する各部品が配設される基板であり、ＣＣＤ５に被写体像を導く開口４１１が設けられている。台板４１０の正面側の表面には、開閉レバー回転軸４１２と、羽根駆動レバー回転軸４１３とが植設されている。台板４１０の背面側の表面には、羽根主アーム回転軸４１４と、羽根従動アーム回転軸４１５とが植設されている。台板４１０の背面には、台板４１０の開口４１１と同じ大きさの開口４９１を有するシャッタカバー板４９０が配設される（図３参照）。
【００２０】
開閉レバー４２０は、開閉レバー回転軸４１２に軸支され、開閉レバー戻しバネ４０１によって図８（ａ）および図９（ａ）において時計方向に付勢されている。開閉レバー４２０の一端の正面には、シャッタ駆動ボス４２１が立設されている。開閉レバー４２０の他端には、ギヤが刻設されたギヤ部４２２が設けられている。ギヤ部４２２は、後述する羽根駆動レバー４３０に設けられたギヤ部と噛合する。
【００２１】
シャッタ駆動ボス４２１の長さおよび位置は、シャッタ機構４００がミラーボックス３００に取り付けられると、回動されたミラーアップレバー３２４のシャッタ駆動端３２４ｂと当接するように設定されている。開閉レバー４２０は、回動されたミラーアップレバー３２４のシャッタ駆動端３２４ｂによってシャッタ駆動ボス４２１が上方に押圧されると、開閉レバー戻しバネ４０１の付勢力に抗して図８（ａ）および図９（ａ）において反時計方向に旋回される。
【００２２】
羽根駆動レバー４３０は、羽根駆動レバー回転軸４１３に軸支され、ギヤが刻設されたギヤ部４３１と、回動中心（羽根駆動レバー回転軸４１３）から半径方向外側に向かって延在する腕４３２と、腕４３２の背面に植設された羽根駆動ピン４３３とを有する。上述のように、羽根駆動レバー４３０のギヤ部４３１と、開閉レバー４２０のギヤ部４２２とは噛合しているので、開閉レバー４２０と羽根駆動レバー４３０とは、連動して回動する。羽根駆動ピン４３３の先端は、台板４１０に設けられた円弧状の長孔４１６を貫通して、後述する羽根主アーム４４０の嵌合孔４４１に嵌合する。羽根駆動ピン４３３が長孔４１６を貫通しているので、羽根駆動レバー４３０および開閉レバー４２０の回動範囲は、羽根駆動ピン４３３の可動範囲を規制する長孔４１６の円弧長さによって規制される。
【００２３】
台板４１０の背面には、羽根主アーム回転軸４１４に軸支された羽根主アーム４４０と、羽根従動アーム回転軸４１５に軸支された羽根従動アーム４５０と、羽根主アーム４４０および羽根従動アーム４５０によって連動して駆動される４枚のシャッタ羽根４６０とが設けられている。すなわち、羽根主アーム４４０と羽根従動アーム４５０とによって構成される周知のアーム機構によって４枚のシャッタ羽根４６０が連動して駆動されて、台板４１０の開口４１１およびシャッタカバー板４９０の開口４９１を遮蔽および開放するように構成されている。羽根主アーム４４０には、嵌合孔４４１が設けられており、嵌合孔４４１に嵌合する羽根駆動ピン４３３が長孔４１６に沿って駆動されると、羽根主アーム４４０が羽根主アーム回転軸４１４を中心に旋回される。
【００２４】
嵌合孔４４１に嵌合する羽根駆動ピン４３３が長孔４１６に沿って上方に駆動されると、各アーム４４０，４５０は図８（ａ）において左旋（図８（ｂ）において右旋）されて、シャッタ羽根４６０を上方に引き上げて開口４１１，４９１を遮蔽する。嵌合孔４４１に嵌合する羽根駆動ピン４３３が長孔４１６に沿って下方に駆動されると、各アーム４４０，４５０は図８（ａ）において右旋（図８（ｂ）において左旋）されて、シャッタ羽根４６０を下方に引き下げて開口４１１，４９１を開放する。
【００２５】
開閉レバー戻しバネ４０１の付勢力は、開閉レバー４２０を図８（ａ）および図９（ａ）において時計方向に付勢しているので、開閉レバー４２０と噛合する羽根駆動レバー４３０を図８（ａ）および図９（ａ）において反時計方向に付勢する。したがって、開閉レバー戻しバネ４０１の付勢力によって羽根駆動ピン４３３が長孔４１６に沿って上方に駆動される。これにより、シャッタ羽根４６０が上方に引き上げられて開口４１１，４９１が遮蔽される。なお、羽根駆動ピン４３３の上方への移動は、図８（ａ），（ｂ）に示すように、羽根駆動ピン４３３が長孔４１６の上方端部４１６ａに当接することによって規制される。羽根駆動ピン４３３が上方端部４１６ａに当接したとき、シャッタ羽根４６０は開口４１１，４９１を遮蔽した状態（図８（ａ），（ｂ））となる。
【００２６】
回動されたミラーアップレバー３２４のシャッタ駆動端３２４ｂによってシャッタ駆動ボス４２１が押圧されて、開閉レバー４２０が開閉レバー戻しバネ４０１の付勢力に抗して図８（ａ）および図９（ａ）において反時計方向に旋回されると、開閉レバー４２０と噛合する羽根駆動レバー４３０は、図８（ａ）および図９（ａ）において時計方向に旋回される。これにより、羽根駆動ピン４３３が長孔４１６に沿って下方に駆動されるので、各アーム４４０，４５０は図８（ａ）において右旋（図８（ｂ）において左旋）されて、シャッタ羽根４６０が下方に引き下げられる。なお、羽根駆動ピン４３３は、長孔４１６の下方端部４１６ｂに当接するまで長孔４１６を移動可能であるが、羽根駆動ピン４３３が下方端部４１６ｂに当接する直前に、４枚のシャッタ羽根４６０はいずれも開口４１１，４９１の下端より引き下げられて、図９（ａ），（ｂ）に示すように、開口４１１，４９１を開放する。
【００２７】
すなわち、本実施の形態のシャッタ機構４００は、ミラーアップレバー３２４の旋回によって、次のように動作する。なお、ミラーアップレバー３２４の角度位置の変化については別途後述する。
（１）  ミラーアップレバー３２４の角度位置がシャッタ駆動端３２４ｂでシャッタ駆動ボス４２１を押圧しない角度位置である場合、シャッタ機構４００は、開閉レバー戻しバネ４０１の付勢力によって各レバー４２０，４３０が旋回されて、シャッタ羽根４６０で開口４１１，４９１を遮蔽する（図８（ａ），（ｂ））。
（２）  ミラーアップレバー３２４が旋回されてシャッタ駆動端３２４ｂでシャッタ駆動ボス４２１を上方に押圧する場合、開閉レバー４２０が開閉レバー戻しバネ４０１の付勢力に抗して旋回されるので、シャッタ機構４００は、シャッタ羽根４６０が下方に引き下げられる。
（３）  シャッタ駆動端３２４ｂによるシャッタ駆動ボス４２１の押圧が進行すると、シャッタ機構４００は、シャッタ羽根４６０が開口４１１，４９１の下端よりも下方に引き下げられて、図９（ａ），（ｂ）に示すように、開口４１１，４９１を開放する。
【００２８】
本実施の形態のシャッタ機構４００では、図８（ａ），（ｂ）、図９（ａ），（ｂ）に示すような角度位置で各レバー４２０，４３０および各アーム４４０，４５０が配設されているので、シャッタ駆動ボス４２１は、開閉レバー回転軸４１２を中心とした所定角度範囲内で略上下方向に移動可能である。なお、シャッタ駆動ボス４２１が移動可能な角度範囲は、上述のように、羽根駆動ピン４３３の可動範囲を規制する長孔４１６の円弧長さによって規制される。
【００２９】
上述した構造により、開閉レバー４２０のシャッタ駆動ボス４２１の略上下方向の動きに追従してシャッタ羽根４６０が開閉動作する。すなわち、ミラーアップレバー３２４のシャッタ駆動端３２４ｂからの駆動力が、シャッタ羽根４６０に直接伝達するように構成されている。
【００３０】
シャッタ機構４００では、ミラーアップレバー３２４のシャッタ駆動端３２４ｂが開閉レバー４２０のシャッタ駆動ボス４２１を押圧して駆動する駆動量を拡大して、シャッタ４６０を開閉するように構成されている。すなわち、開閉レバー４２０のギヤ部４２２から回動中心である開閉レバー回転軸４１２までの距離は、シャッタ駆動ボス４２１から開閉レバー回転軸４１２までの距離より長くされ、羽根駆動ピン４３３から回動中心である羽根駆動レバー回転軸４１３までの距離は、羽根駆動レバー４３０のギヤ部４３１から羽根駆動レバー回転軸４１３までの距離より長くされている。したがって、シャッタ駆動端３２４ｂのわずかな駆動量で、羽根駆動ピン４３３を長孔４１６に沿って大きく移動させることができる。
【００３１】
―――撮影時の動作説明―――
本実施の形態の電子カメラで撮影する際の各部の動作について説明する。図６（ａ）は、撮影開始前のシーケンス駆動レバー２１８とカム２２０の状態を示す。カム面２２２がローラ２１９ａを押圧することにより、シーケンス駆動レバー２１８が左回転方向に駆動されて停止している。カメラボディ１を側面から見た場合、図４（ａ）に示すように、シーケンス駆動レバー２１８の先端部２１８ｂはカメラボディ１の正面に向かって駆動されて停止している。
【００３２】
ミラーアップレバー３２４は、先端部２１８ｂによってミラーアップバネ３３１の付勢力に抗して図４（ａ）において左旋される。このとき、ミラー駆動端３２４ａはメインミラー３２１のミラー駆動ピン３２１ｂから離間し、シャッタ駆動端３２４ｂは開閉レバー４２０のシャッタ駆動ボス４２１と離間している。したがって、メインミラー３２１はミラーダウン位置となり、シャッタ羽根４６０は開口４１１，４９１を遮蔽した状態（図８（ａ），（ｂ））となる。
【００３３】
絞り駆動レバー３２５は、レバー当接部３２５ａに当接した絞り連動レバー３２３とともにバネ３２８によって図４（ａ）において左旋されている。したがって、撮影開始前、レンズ絞りは開放状態である。
【００３４】
レリーズボタン４が押圧されて不図示のレリーズスイッチからレリーズ信号が入力されると、制御回路１０１は駆動モータ１２２を駆動する。駆動モータ１２２の回転により、カム２２０は、略１８０度左旋して図６（ａ）の状態から図７（ａ）の状態となる。この状態で駆動モータ１２２は一旦停止する。カム面２２２がローラ２１９ｂを押圧してシーケンス駆動レバー２１８を右回転方向に駆動する。
【００３５】
このとき、シーケンス駆動レバー２１８の先端部２１８ｂは、図４（ａ）から図４（ｂ）の状態となるようにカメラボディ１の正面側から背面側に移動して、図４（ａ）において絞り駆動レバー３２５を右旋させる。絞り駆動レバー３２５が右旋されると、絞り連動レバー３２３は、バネ３２７の付勢力によって旋回を開始して、レンズ絞りを開放状態から絞り込む。
【００３６】
ミラーアップレバー３２４は、先端部２１８ｂが背面側に移動すると、ミラーアップバネ３３１の付勢力によって、図４（ａ）において右旋される。ミラーアップレバー３２４が右旋されると、はじめに、ミラー駆動端３２４ａがメインミラー３２１のミラー駆動ピン３２１ｂに当接して、メインミラー３２１をミラーダウン位置から反時計方向へ回動させる。ミラーアップレバー３２４の右旋が進行して、すなわち、ミラーアップ動作が進行して、メインミラー３２１がミラーアップ位置の直前まで回動されたときに、シャッタ駆動端３２４ｂは開閉レバー４２０のシャッタ駆動ボス４２１と当接する。さらにミラーアップレバー３２４の右旋が進行すると、シャッタ駆動端３２４ｂによってシャッタ駆動ボス４２１が上方に押圧されて、上述のように、シャッタ羽根４６０が下方に引き下げられる。
【００３７】
ミラーアップレバー３２４の右旋によってミラーアップが完了した状態、すなわち、図４（ｂ）に示したレリーズ後の状態では、シャッタ羽根４６０が開口４１１，４９１の下端よりも下方に引き下げられて、図９（ａ），（ｂ）に示すように、開口４１１，４９１が開放される。
【００３８】
上述のレリーズ動作の後、制御回路１０１で制御される電子シャッタによってＣＣＤ５へ電荷の蓄積が制御されることで撮像が行われる。ＣＣＤ５への電荷蓄積の最中は、駆動モータ１２２が停止しているので、カム２２０およびシーケンス駆動レバー２１８も停止している。そのため、図４（ｂ）に示すように、ミラーアップレバー３２４は、ミラーアップバネ３３１の付勢力で右旋した状態で、シャッタ駆動端３２４ｂによってシャッタ駆動ボス４２１を上方に押圧したまま停止している。ＣＣＤ５への電荷蓄積が終了して撮像が終了すると、これに引き続き、各部のリセット動作が行われる。以下、リセット動作について説明する。
【００３９】
リセット動作では、再び駆動モータ１２２が駆動される。駆動モータ１２２の回転により、図７（ａ）の状態からカム２２０が略１８０度左旋して図６（ａ）の状態に戻って停止する。カム面２２２がローラ２１９ａを押圧することにより、シーケンス駆動レバー２１８は左回転方向に駆動されている。このとき、先端部２１８ｂは、図４（ｂ）から図４（ａ）の状態となるようにカメラボディ１の背面側から正面側に移動して、図４（ｂ）においてミラーアップレバー３２４を左旋させる。
【００４０】
ミラーアップレバー３２４が左旋されると、メインミラー３２１は、一端がミラーアップレバー３２４に係止されたミラーダウンバネ３２２の他端から受ける付勢力によって図４（ｂ）において右旋され、ミラーダウン位置へ戻る。ミラーアップレバー３２４のシャッタ駆動端３２４ｂによって押圧されていたシャッタ駆動ボス４２１、すなわち開閉レバー４２０は、開閉レバー戻しバネ４０１の付勢力によってミラーアップレバー３２４の左旋に追従して、シャッタ羽根４６０で開口４１１，４９１を遮蔽するように駆動される。ミラーアップレバー３２４の左旋が進行すると、シャッタ羽根４６０による開口４１１，４９１の遮蔽が完了して、開閉レバー４２０が停止し、シャッタ駆動端３２４ｂがシャッタ駆動ボス４２１から離間する。さらにミラーアップレバー３２４の左旋が進行すると、ミラーダウンが完了して、メインミラー３２１の右旋が停止し、ミラー駆動端３２４ａがミラー駆動ピン３２１ｂから離間する。
【００４１】
リセット動作が終了すると、バネ３２８によって絞り連動レバー３２３および絞り駆動レバー３２５も左旋した状態に戻り、レンズ絞りは開放状態となる。
【００４２】
上述した本発明による電子カメラでは、次の作用効果を奏する。
（１）  メインミラー３２１へミラーアップの駆動力を伝達するミラーアップレバー３２４のシャッタ駆動端３２４ｂで開閉レバー４２０のシャッタ駆動ボス４２１を駆動することで、シャッタ羽根４６０を駆動するよう構成した。これにより、シャッタ駆動のためのアクチュエータや複雑な駆動機構を用いることなくシャッタ羽根４６０を駆動できるので、シャッタ羽根４６０の駆動に要する部品を大幅に削減でき、コストおよび小型化の際のスペースの面で優れた電子カメラ、シャッタ機構、およびミラー駆動機構を実現できる。
【００４３】
（２）  ミラーアップの時に、ミラーアップレバー３２４のシャッタ駆動端３２４ｂで、開閉レバー戻しバネ４０１の付勢力に抗して開閉レバー４２０のシャッタ駆動ボス４２１を上方に押圧してシャッタ羽根４６０を駆動するとともに、シャッタ羽根４６０を閉動作させるチャージ力が蓄積されるように構成した。そして、ＣＣＤ５への電荷を蓄積しているときには、ミラーアップレバー３２４は、シャッタ駆動端３２４ｂでシャッタ駆動ボス４２１を上方に押圧したまま停止することで、シャッタ羽根４６０を閉動作させるチャージ力を係止するように構成した。ミラーダウン時には、開閉レバー戻しバネ４０１の付勢力（チャージ力）によってシャッタ駆動端３２４ｂがミラーアップレバー３２４の左旋に追従して、シャッタ羽根４６０で開口４１１，４９１を遮蔽するように構成した。これにより、バネの付勢力に抗して駆動されたレバーを係止するために別の機構を設ける必要がなくなるので、簡単な構造でシャッタ機構を構成でき、コストおよび小型化の際のスペースの面で有利である。
【００４４】
（３）  シャッタ羽根４６０の開閉動作が開閉レバー４２０に設けられたシャッタ駆動ボス４２１の略上下方向の動きに追従するよう構成することで、ミラーアップレバー３２４のシャッタ駆動端３２４ｂからの駆動力が、シャッタ羽根４６０に直接伝達するように構成した。これにより、ミラーアップレバー３２４のシャッタ駆動端３２４ｂの単純な動きでシャッタ羽根４６０を駆動できるので、シャッタ羽根４６０を駆動する動力をシャッタ機構４００に供給するミラー側の機構も複雑化することがない。したがって、従来のミラー側の機構の設計変更がわずかで済むので、開発費用を低減できる。
【００４５】
（４）  ミラーアップレバー３２４のシャッタ駆動端３２４ｂが開閉レバー４２０のシャッタ駆動ボス４２１を押圧して駆動する駆動量を拡大して、シャッタ４６０を開閉するように構成した。これにより、ミラーアップの駆動力を用いてシャッタ羽根４６０を駆動することが容易となるので、設計が容易である。また、駆動力を供給するミラー側に駆動量が大きな部材を設ける必要がないので、および小型化の際のスペースの面で有利である。
【００４６】
（５）  ミラーアップレバー３２４によってメインミラー３２１のミラー駆動と、シャッタ羽根４６０の開閉動作を行うように構成した。これにより、従来から用いられているミラー側の機構を用いることができるので、部品の設計変更も最低限で済み、コストメリットが大きい。
（６）  ミラーアップ動作が完了する直前にシャッタ羽根４６０の開動作を開始し、ミラーダウン動作が始まるとすぐにシャッタ羽根４６０の閉動作を開始するように構成した。これにより、電荷蓄積時以外にＣＣＤ５が被写体光が暴露される時間を極力短くできるので、スミアの発生など、画質劣化を積極的に防止できるので、被写体像を高画質で記録できる。
【００４７】
−−−変形例−−−
（１）  上述の説明では、ミラーアップ動作の時、ミラーアップバネ３３１の付勢力によってミラーアップレバー３２４が駆動されたが、本発明はこれに限定されずミラーアップ動作の時も駆動モータ１２２の駆動力で行われるようにしてもよい。すなわち、正面および背面側に揺動するシーケンス駆動レバー２１８の先端部２１８ｂでミラーアップレバー３２４が駆動されるようにしてもよい。このように構成することで、駆動モータ１２２によって駆動されるシーケンス駆動レバー２１８でミラーアップレバー３２４が押圧されて、ミラーアップ動作およびシャッタ開動作が行われる。
【００４８】
（２）  上述の説明では、ミラーアップレバー３２４がメインミラー３２１をミラーアップする際の駆動力を利用してシャッタ羽根４６０を開動作させ、開閉レバー戻しバネ４０１の付勢力によってシャッタ羽根４６０を閉動作させるように構成したが、本発明はこれに限定されない。たとえば、ミラーダウン時にメインミラー３２１をミラーダウンさせる駆動力を利用してシャッタ羽根４６０を閉動作させるとともに、シャッタ羽根４６０を開動作させるチャージ力を蓄積し、このチャージ力によってシャッタ羽根４６０を開動作させるように構成することもできる。その一例を図１０（ａ），（ｂ）に示す。メインミラー３２１はメインミラー３２１をミラーアップ方向に付勢するバネ５２２によってミラーアップ動作を行い、ミラーダウンレバー５２４のミラー駆動端５２４ａによってミラーダウンされる。
【００４９】
シャッタ機構６００は、上述の説明における開閉レバー戻しバネ４０１に相当するバネ（以下、シャッタ開きバネと呼ぶ）によって、上述の説明とは逆の方向に付勢力が与えられている。したがって、シャッタ駆動ボス４２１は、シャッタ開きバネによってシャッタ羽根４６０を開動作させる方向である上方に付勢されている。ミラーダウンレバー５２４のシャッタ駆動端５２４ｂによるオーバーチャージを吸収する吸収機構５０１を介して、シャッタ駆動ボス４２１とミラーダウンレバー５２４のシャッタ駆動端５２４ｂとは連結されている。
【００５０】
図１０（ａ）に示した撮影開始前の状態では、シーケンス駆動レバー２１８の先端部２１８ｂは正面方向に移動してミラーダウンレバー５２４を左旋させている。このとき、シャッタ駆動端５２４ｂは、吸収機構５０１を介してシャッタ駆動ボス４２１を下方に駆動して、シャッタ羽根４６０を閉動作させている。
【００５１】
図１０（ｂ）に示したレリーズ後の状態では、シーケンス駆動レバー２１８の先端部２１８ｂは背面方向に移動するので、ミラーダウンレバー５２４はバネ３３１の付勢力で右旋される。これにより、メインミラー３２１は、バネ５２２によってミラーアップ動作を行う。シャッタ駆動端５２４ｂは上方に移動するので、シャッタ開きバネの付勢力でシャッタ羽根４６０が開動作する。
【００５２】
（３）  上述の説明では、メインミラー３２１を駆動する駆動源によって、シャッタ羽根４６０の開動作もしくは閉動作のいずれか一方の動作が行われるが、本発明はこれに限定されず、メインミラー３２１を駆動する駆動源によって、シャッタ羽根４６０の開閉動作を行うこともできる。たとえば、開閉レバー戻しバネ４０１が設けられていないシャッタ機構４００を用いることで、ミラーアップ時には、本実施の形態の電子カメラのように、ミラーアップレバー３２４のシャッタ駆動端３２４ｂによって、シャッタ駆動ボス４２１を上方に押圧すればよい。ミラーダウン時には、シャッタ駆動端３２４ｂによって、ミラーダウン時のオーバーチャージを吸収する吸収機構（たとえば、上述した吸収機構５０１）を介してシャッタ駆動ボス４２１を下方に押圧するように構成すればよい。その一例を図１１（ａ），（ｂ）に示す。
【００５３】
ミラーアップレバー３２４には、ミラーアップレバー３２４の左旋によってシャッタ駆動ボス４２１を下方に押圧するバネ３３３が設けられている。バネ３３３の一端はミラーアップレバー３２４に固定され、他端はミラーアップレバー３２４に植設されたピン３２４ｃによって可動範囲が規制されている。なお、バネ３３３の他端の先端は、シャッタ駆動ボス４２１を下方に押圧できるように紙面奥側に折り曲げられている。図１１（ａ），（ｂ）に示した変形例では、上述のように、シャッタ機構４００には開閉レバー戻しバネ４０１が設けられていないので、シャッタ羽根４６０はシャッタ駆動ボス４２１が受ける外力によって以下に述べるように開閉駆動される。
【００５４】
撮影開始前には、図１１（ａ）に示すように、シャッタ駆動ボス４２１がバネ３３３によって下方に押圧されることで、シャッタ羽根４６０は開口４１１，４９１を遮蔽している。ミラーアップ動作におけるシャッタ羽根４６０の開動作は、上述した実施の形態と同様にシャッタ駆動ボス４２１がシャッタ駆動端３２４ｂによって上方に押圧されることで行われる（図１１（ｂ））。
【００５５】
リセット動作において、シーケンス駆動レバー２１８の先端部２１８ｂによってミラーアップレバー３２４が駆動されると、ミラーアップレバー３２４の左旋開始直後にバネ３３３の他端がシャッタ駆動ボス４２１に当接して、シャッタ駆動ボス４２１の下方への駆動を開始する。ミラーアップレバー３２４の左旋の途中でシャッタ羽根４６０の閉動作が終了し、シャッタ駆動ボス４２１の下降が停止するが、ミラーアップレバー３２４がさらに左旋される分の回転駆動量（オーバーチャージ）は、バネ３３３のたわみで吸収する。
【００５６】
（４）  上述の説明では、メインミラー３２１のミラーアップ動作と、シャッタ羽根４６０の開動作とが、ミラーアップレバー３２４によって行われていたが、本発明はこれに限定されない。たとえば、ミラーアップレバー３２４とは別の部材を用いて、ミラーアップバネ３３１の付勢力を開閉レバー４２０のシャッタ駆動ボス４２１に伝達するように構成してもよい。
【００５７】
（５）  上述の説明では、ミラーアップレバー３２４、または、ミラーダウンレバー５２４によってシャッタ駆動ボス４２１を駆動していたが、本発明はこれに限定されない。たとえば、メインミラー３２１に設けられてメインミラー３２１とともに連動する部材によって、シャッタ駆動ボス４２１を駆動するように構成してもよい。
（６）  上述した各実施の形態および変形例は、それぞれ組み合わせてもよい。
【００５８】
以上の実施の形態およびその変形例において、たとえば、ミラーはメインミラー３２１に、ミラーアップの駆動力をシャッタ駆動機構に伝達する部材はミラーアップレバー３２４に、ミラーダウンの駆動力をシャッタ駆動機構に伝達する部材はミラーダウンレバー５２４にそれぞれ対応する。駆動源は、ミラーアップバネ３３１または駆動モータ１２２に、ミラー駆動機構は、ミラーアップレバー３２４とミラーダウンバネ３２２、またはミラーダウンレバー５２４にそれぞれ対応する。シャッタ駆動機構は、開閉レバー４２０と、羽根駆動レバー４３０と、羽根主アーム４４０と、羽根従動アーム４５０とによって実現される。拡大機構は、開閉レバー４２０と羽根駆動レバー４３０とによって実現される。ミラー駆動機構からの駆動力をシャッタ羽根に伝達してシャッタ羽根を開動作させる部材、ミラー駆動機構からの駆動力をシャッタ羽根に伝達してシャッタ羽根を閉動作させる部材、および、ミラー駆動機構からの駆動力をシャッタ羽根に伝達してシャッタ羽根を開閉動作させる部材は、シャッタ駆動ボス４２１に対応する。さらに、本発明の特徴的な機能を損なわない限り、本発明は、上述した実施の形態における機器構成に何ら限定されない。
【図面の簡単な説明】
【００５９】
【図１】本実施の形態による電子カメラの斜視図である。
【図２】ミラーボックス３００、絞り機構２００、およびシャッタ機構４００を示す斜視図である。
【図３】ミラーボックス３００、絞り機構２００、およびシャッタ機構４００を示す斜視図である。
【図４】ミラーボックス３００およびシャッタ機構４００を側面から見た図であり、（ａ）は、撮影開始前の状態を示す図であり、（ｂ）は、レリーズ後の状態を示す図である。
【図５】絞り機構２００を示す斜視図である。
【図６】撮影開始前のシーケンス駆動レバー２１８とカム２２０の回転位相との関係を示す図であり、（ａ）は、シーケンス駆動レバー２１８をカメラボディ１の下方から見た図（図５の矢印Ａ方向から見た図）であり、（ｂ）は、シーケンス駆動レバー２１８をカメラボディ１の上方から見た図（図５の矢印Ｂ方向から見た図）である。
【図７】レリーズ後のシーケンス駆動レバー２１８とカム２２０の回転位相との関係を示す図であり、（ａ）は、シーケンス駆動レバー２１８をカメラボディ１の下方から見た図（図５の矢印Ａ方向から見た図）であり、（ｂ）は、シーケンス駆動レバー２１８をカメラボディ１の上方から見た図（図５の矢印Ｂ方向から見た図）である。
【図８】シャッタ機構４００を示す図であり、（ａ）は、シャッタ機構４００を正面から見た正面図であり、（ｂ）は、後述するシャッタカバー板４９０を外したシャッタ機構４００の内部を背面から見た図である。
【図９】シャッタ機構４００を示す図であり、（ａ）は、シャッタ機構４００を正面から見た正面図であり、（ｂ）は、後述するシャッタカバー板４９０を外したシャッタ機構４００の内部を背面から見た図である。
【図１０】本実施の形態による電子カメラの変形例に関して、ミラーボックス３００およびシャッタ機構６００を側面から見た図であり、（ａ）は、撮影開始前の状態を示す図であり、（ｂ）は、レリーズ後の状態を示す図である。
【図１１】本実施の形態による電子カメラの変形例に関して、ミラーボックス３００およびシャッタ機構４００を側面から見た図であり、（ａ）は、撮影開始前の状態を示す図であり、（ｂ）は、レリーズ後の状態を示す図である。
【符号の説明】
【００６０】
１  カメラボディ                                ２  撮影レンズ
５  ＣＣＤ                                      １０１  制御回路
１２２  駆動モータ                              ２００  絞り制御機構
２１８  シーケンス駆動レバー                    ２１８ｂ  先端部
２２０  カム                                    ３００  ミラーボックス
３０１  撮影光路                                ３２１  メインミラー
３２１ｂ  ミラー駆動ピン                        ３２４  ミラーアップレバー
３２４ａ  ミラー駆動端                          ３２４ｂ  シャッタ駆動端
３３１  ミラーアップバネ                        ４００、６００  シャッタ機構
４０１  開閉レバー戻しバネ                      ４１１，４９１  開口
４２０  開閉レバー                              ４２１  シャッタ駆動ボス
４３０  羽根駆動レバー                          ４４０  羽根主アーム
４５０  羽根従動アーム                          ４６０  シャッタ羽根
５０１  吸収機構                                ５２２  バネ
５２４  ミラーダウンレバー                      ５２４ａ  ミラー駆動端
５２４ｂ  シャッタ駆動端
【図１】
0004626177.tif 000002
【図２】
0004626177.tif 000003
【図３】
0004626177.tif 000004
【図４】
0004626177.tif 000005
【図５】
0004626177.tif 000006
【図６】
0004626177.tif 000007
【図７】
0004626177.tif 000008
【図８】
0004626177.tif 000009
【図９】
0004626177.tif 000010
【図１０】
0004626177.tif 000011
【図１１】
0004626177.tif 000012